(57)【要約】【課題】本発明は、冊子と結合されることで冊子を保護するのに用いられる書類用バインダーを提供することを課題とする。【解決手段】本発明は、１つ又は複数の冊子との結合に用いられ、カバー、固定ベース、第１の固定部材、第２の固定部材及び少なくとも１つの挿入ロッドを備えることを特徴とする書類用バインダーを提供する。カバーは、表紙、裏表紙、及び表紙と裏表紙との間に位置する裏板を有する。裏板は、背表紙面を有し、表紙と裏表紙に枢動可能に連結される。固定ベースは、背表紙面に固定されるとともに、裏板に対して相対移動しない。第２の固定部材は、第１の固定部材とともにそれぞれ固定ベースの対向する両端に固定されるとともに、頂面から突出する。挿入ロッドは、冊子の背部を貫通するのに用いられ、且つ挿入ロッドの両端部はそれぞれ第１の固定部材と第２の固定部材に配置される。【選択図】図１Ａ
2014008780.tif 000002
【特許請求の範囲】
【請求項１】
背部を備える少なくとも１つの冊子と結合されるのに用いられる書類用バインダーであって、
表紙と、裏表紙と、背表紙面を有し、前記表紙と前記裏表紙との間に位置すると共に前記表紙と前記裏表紙に枢動可能に連結されることで、前記表紙と前記裏表紙のいずれも前記背表紙面に向かって枢転させる裏板と、を有するカバーと、
前記裏板に対して相対移動しないように前記背表紙面に固定されており、頂面と、前記頂面に対向し、前記頂面と前記背表紙面との間に位置する底面と、を有する固定ベースと、
第１の固定部材と、
前記第１の固定部材とともにそれぞれ前記固定ベースの対向する両端に固定されるとともに、前記頂面から突出する第２の固定部材と、
前記背部を貫通するのに用いられ、且つ両端部がそれぞれ前記第１の固定部材と前記第２の固定部材に配置される少なくとも１つの挿入ロッドと、
を備えることを特徴とする書類用バインダー。
【請求項２】
前記カバーの材質は、軟性材質であることを特徴とする請求項１に記載の書類用バインダー。
【請求項３】
前記第１の固定部材は、前記挿入ロッドが挿入される少なくとも１つの第１のヒンジ孔を有し、
前記第２の固定部材は、前記挿入ロッドが挿入される少なくとも１つの第２のヒンジ孔を有し、
前記挿入ロッドは一端に停止部を有し、
前記挿入ロッドが前記第１のヒンジ孔と前記第２のヒンジ孔に挿入された後、前記停止部が前記第２の固定部材に当接し、且つ前記第２の固定部材が前記停止部と前記第１の固定部材との間に位置し、
前記挿入ロッドは弾性又は剛性を有することを特徴とする請求項１に記載の書類用バインダー。
【請求項４】
前記第１の固定部材は、
底部、第１の柱体及び第２の柱体を有し、前記第１の柱体と前記第２の柱体がいずれも前記底部から突出し、且つ前記底部が前記固定ベースに接続され、前記第１の柱体の頂端がネジ孔を有する溝座と、
前記ネジ孔に対応する貫通孔を有し、且つ前記第２の柱体に枢動可能に連結され、前記第２の柱体との間の回動によって前記貫通孔が前記ネジ孔の位置に合わせられ、回動軸心に沿って前記第２の柱体に対して回動し、前記回動軸心の延在方向が前記挿入ロッドの軸方向と同じである回動ブロックと、
前記貫通孔を貫通するとともに前記ネジ孔に螺合されるボルトと、
を備えることを特徴とする請求項１に記載の書類用バインダー。
【請求項５】
前記挿入ロッドは前記第２の固定部材と枢動可能に連結され、前記挿入ロッドの一端はフックリングであり、前記フックリングは前記第２の固定部材に結合され、前記第２の固定部材は、支持ロッド、第３の柱体及び第４の柱体を備え、前記支持ロッドは前記フックリングと結合し、前記フックリングは前記第３の柱体と前記第４の柱体との間に位置し、前記第３の柱体と前記第４の柱体はいずれも前記固定ベースから突出し、且つ前記第３の柱体と前記第４の柱体はいずれも前記支持ロッドと前記固定ベースとの間に位置することを特徴とする請求項４に記載の書類用バインダー。
【請求項６】
前記第１の固定部材は、
溝底部と一対の互いに対向する柱体とを有し、前記一対の柱体が前記溝底部から突出する凹溝と、
挿入ボルトであって、前記一対の柱体を貫通することで前記挿入ロッドが前記一対の柱体の間且つ前記挿入ボルトの下方に位置するようにするのに用いられる挿入ボルトと、
を備えることを特徴とする請求項１に記載の書類用バインダー。
【発明の詳細な説明】
【技術分野】
【０００１】
本発明は書類用バインダーに関し、特に少なくとも１つの冊子（ｂｏｏｋ）と結合されるための書類用バインダーに関する。
【背景技術】
【０００２】
ルーズリーフバインダー（ｌｏｏｓｅ  ｌｅａｆ  ｂｉｎｄｉｎｇ）は、専ら複数の孔を有するルーズリーフ用紙（ｐｕｎｃｈｅｄ  ｐａｐｅｒｓ又はｌｏｏｓｅ  ｌｅａｆ  ｐａｐｅｒｓ）を綴じる（ｂｉｎｄｉｎｇ）ための書類用バインダーである。現在よく見受けられるルーズリーフバインダーは、その内面中央の箇所に可動クリップが結合され、且つ可動クリップ内に複数のクリップリング（ｒｉｎｇ又はｄｕａｌ  ｔａｎｇ）が設けられている。クリップリングが開放されて開かれると、クリップリングはＣ字形を呈し、ルーズリーフ用紙の孔に穿設することができる。クリップリングが閉鎖されて綴じられると、クリップリングはＯ字形を呈し、ルーズリーフ用紙を固定することができる。
【０００３】
しかしながら、上述したルーズリーフバインダーでは、ルーズリーフ用紙しか綴じることができない。コイル綴じのノートの場合、コイルがルーズリーフ用紙のすべての孔に穿設されており、このルーズリーフ用紙にはクリップリングを穿設するのに用いることのできる孔がない。そのため、コイル綴じのノートは現在のルーズリーフバインダーに適合（ｆｉｔ  ｉｎｔｏ）させることができない。従って、コイル綴じのノートは、その表紙が汚れた場合、新しい表紙に交換することができない。更には、コイル綴じのノートは、その表面が脱落した場合、その内部頁が表紙による保護を失い、コイル綴じのノートの内部頁に傷がつく恐れがある。
【発明の概要】
【発明が解決しようとする課題】
【０００４】
本発明は、冊子と結合されることで冊子を保護するのに用いられる書類用バインダーを提供することを課題とする。
【課題を解決するための手段】
【０００５】
本発明は、背部を備える１つ又は複数の冊子との結合に用いられ、カバー、固定ベース、第１の固定部材、第２の固定部材及び少なくとも１つの挿入ロッドを備えることを特徴とする書類用バインダーを提供する。カバーは、表紙、裏表紙、及び表紙と裏表紙との間に位置する裏板を有する。裏板は、背表紙面を有し、表紙と裏表紙に枢動可能に連結されることで、表紙と裏表紙のいずれも背表紙面に向かって枢転させる。固定ベースは、背表紙面に固定されるとともに、裏板に対して相対移動しない。固定ベースは、頂面と、頂面に対向し、頂面と背表紙面との間に位置する底面とを有する。第２の固定部材は、第１の固定部材とともにそれぞれ固定ベースの対向する両端に固定されるとともに、頂面から突出する。挿入ロッドは、冊子の背部を貫通するのに用いられ、且つ挿入ロッドの両端部はそれぞれ第１の固定部材と第２の固定部材に配置される。
【発明の効果】
【０００６】
本発明に係る書類用バインダーによれば、挿入ロッドが冊子の背部を貫通することができ、且つ挿入ロッドの両端部がそれぞれ第１の固定部材と第２の固定部材に配置されるようにするため、コイル綴じされた冊子と結合され、これによって冊子を保護することが可能である。
【図面の簡単な説明】
【０００７】
【図１Ａ】本発明の１つの実施例に係る書類用バインダーを模式的に示した立体図である。
【図１Ｂ】図１Ａの書類用バインダーを模式的に示した分解図である。
【図２Ａ】本発明の他の実施例に係る書類用バインダーを模式的に示した立体図である。
【図２Ｂ】図２Ａの固定部材の箇所を模式的に示した拡大図である。
【図３】本発明の他の実施例に係る書類用バインダーを模式的に示した立体図である。
【図４】本発明の他の実施例に係る書類用バインダーを模式的に示した図である。
【図５】本発明の他の実施例に係る書類用バインダーを模式的に示した立体図である。
【図６】本発明の他の実施例に係る書類用バインダーを模式的に示した立体図である。
【発明を実施するための形態】
【０００８】
本発明の特徴及び技術内容をより深く理解することができるように、以下、本発明について図面を参照しながら詳細に説明する。但し、これら説明及び図面は本発明を説明するために用いるものに過ぎず、本発明の権利範囲を何ら制限するものではない。
【０００９】
図１Ａは、本発明の１つの実施例に係る書類用バインダー１００を模式的に示した立体図である。図１Ａに示すように、書類用バインダー１００は、カバー１１０、固定ベース１２０、第１の固定部材１５０、第２の固定部材１６０及び挿入ロッド１３０を備える。カバー１１０は、表紙１１２ａ、裏表紙１１２ｂ、及び表紙１１２ａと裏表紙１１２ｂとの間に位置する裏板１１４を有する。裏板１１４は、表紙１１２ａに接続される線縁部１１４bと、裏表紙１１２ｂに接続される線縁部１１４cと、を有する背表紙面１１４ａを有する。但し、その他の実施例において、カバー１１０の材質は、基本的に線縁部１１４ｂと線縁部１１４ｃとが外観上現れないようにするために軟性材質であってもよい。
【００１０】
また、裏板１１４は、表紙１１２ａと裏表紙１１２ｂとに枢動可能に連結される。詳しく述べると、表紙１１２ａは、線縁部１１４ｂを軸心として裏板１１４に対して回動することができ、同様に、裏表紙１１２ｂも、線縁部１１４ｃを軸心として裏板１１４に対して回動することができる。これにより、それぞれ線縁部１１４ｂ、１１４ｃを軸心とする状況の下で、表紙１１２ａと裏表紙１１２ｂはいずれも背表紙面１１４ａに向かって枢転することができる。
【００１１】
固定ベース１２０は、底面１２０ｂ及び底面１２０ｂに対向する頂面１２０ａを有する。そのうち、底面１２０ｂは、頂面１２０ａと背表紙面１１４ａとの間に位置する。固定ベース１２０は、裏板１１４の背表紙面１１４ａにしっかりと固定（ｆｉｒｍｌｙ  ｓｅｃｕｒｅｄ）される。例えば、固定ベース１２０は、接着剤（図示せず）、リベット（図示せず）若しくはボルト（図示せず）によって恒久的に裏板１１４に結合され、これにより固定ベース１２０と裏板１１４とが一体に結合される。従って、故意に結合を解除しようとしない限りは、固定ベース１２０は裏板１１４に対して移動することがなく、裏板１１４と分離することもない。
【００１２】
第１の固定部材１５０と第２の固定部材１６０は、それぞれ固定ベース１２０の対向する両端に固定される。しかもこれらの固定部材１５０、１６０は、いずれも頂面１２０ａから突出している。挿入ロッド１３０は、これらの固定部材１５０、１６０に装着され、且つ挿入ロッド１３０の両端部はそれぞれ第１の固定部材１５０と第２の固定部材１６０とに配置される。挿入ロッド１３０は、一方の線縁部１１４ｂ（又は線縁部１１４ｃ）に沿って延在されるとともに、線縁部１１４ｂ、１１４ｃの間に位置する。
【００１３】
図１Ｂは、図１Ａの書類用バインダー１００を模式的に示した分解図である。図１Ａ及び図１Ｂに示すように、第１の固定部材１５０は、少なくとも１つの第１のヒンジ孔１５０ａを有し、第２の固定部材１６０は、少なくとも１つの第２のヒンジ孔１６０ａを有する。これらのヒンジ孔１５０ａ、１６０ａには、挿入ロッド１３０が挿入される。ここで、第１のヒンジ孔１５０ａ及び第２のヒンジ孔１６０ａは扁形の大きな孔であってもよく、この場合、複数の挿入ロッド１３０は、第１のヒンジ孔１５０ａ及び第２のヒンジ孔１６０ａに横に並べて挿入することができる。
【００１４】
書類用バインダー１００は、少なくとも１つのキャップ１７０を更に備える。挿入ロッド１３０は、一端が停止部１３２を有し、他端がキャップ１７０に固定されるようにしてもよい。例えば、挿入ロッド１３０は、螺合又は係合等の方法によってキャップ１７０と固定される。挿入ロッド１３０が第１のヒンジ孔１５０ａと第２のヒンジ孔１６０ａに挿入され、キャップ１７０が挿入ロッド１３０の一端に固定された後、停止部１３２が第２の固定部材１６０に当接し、キャップ１７０が第１の固定部材１５０に当接する。ここで、第２の固定部材１６０は、停止部１３２と第１の固定部材１５０との間に位置し、第１の固定部材１５０と第２の固定部材１６０はいずれもキャップ１７０と停止部１３２との間に位置する。これにより、挿入ロッド１３０は、第１の固定部材１５０と第２の固定部材１６０から滑り落ちることがない。
【００１５】
書類用バインダー１００は、冊子２０との結合に用いられる。冊子２０は、例えばコイル綴じのノートであり、ルーズリーフ２２と背部２４を備える。ここで、ルーズリーフ２２は、複数頁のルーズリーフ部材２２ａを有し、且つこれらのルーズリーフ部材２２ａは複数の孔２２ｂを有する。また、背部２４はこれらの孔２２ｂに穿設される。背部２４は、複数のスナップリングを有している。例えば、背部２４は、螺旋式コイルであってもよく、又は複数の円形リングを備えてもよい。
【００１６】
挿入ロッド１３０は、背部２４を貫通することができる。挿入ロッド１３０が背部２４を貫通するとともに、ヒンジ孔１５０ａ、１６０ａに挿入されると、挿入ロッド１３０は、固定ベース１２０における第１の固定部材１５０と第２の固定部材１６０とに固定され、これにより書類用バインダー１００は、冊子２０と結合することができる。これにより、書類用バインダー１００は、冊子２０の表紙を保護することができ、ルーズリーフ部材２２ａが汚れたり傷ついたりすることを回避することができる。
【００１７】
図２Ａは、本発明の他の実施例に係る書類用バインダー２００を模式的に示した立体図である。図２Ｂは、図２Ａの第１の固定部材２５０の箇所を模式的に示した拡大図である。図２Ａ及び図２Ｂに示すように、本実施例における書類用バインダー２００は、前述した実施例における書類用バインダー１００と構造がほぼ同じである。例えば、書類用バインダー２００も、カバー１１０、固定ベース２２０、第１の固定部材２５０及び第２の固定部材２６０を備える。そのうち、第１の固定部材２５０及び第２の固定部材２６０は、それぞれ固定ベース２２０の対向する両端に設けられ、固定ベース２２０は、裏板１１４の背表紙面１１４ａにしっかりと固定される。
【００１８】
しかしながら、本実施例と前述した実施例との間には相違点がいくつか存在する。詳しく述べると、本実施例では、書類用バインダー２００は、両端部がそれぞれ固定部材２５０、２６０に配置される２本の挿入ロッド２３０を備えている。従って、これらの挿入ロッド２３０は、２冊の冊子２０の背部２４をそれぞれ貫通することができ、これにより書類用バインダー２００は２冊の冊子２０と結合することができる（図１Ａを参照）。また、これらの挿入ロッド２３０は、並列に配置され、且つ固定ベース２２０の頂面２２０ａとの間の間隔が一致している。
【００１９】
また、他の実施例において、挿入ロッド２３０の１つの端部が第２の固定部材２６０にしっかりと結合（ｆｉｒｍｌｙ  ｂｏｎｄｅｄ）されるとともに、固定ベース２２０の上方に設けられてもよい。ここで、挿入ロッド２３０は、弾性を有するプラスチック条又は剛性のロッド材であってもよい。
【００２０】
第１の固定部材２５０は、溝座２５２、回動ブロック２５４及びボルト２７０を備える。そのうち、溝座２５２は、底部２５２ａ、第１の柱体２５２ｂ及び第２の柱体２５２ｃを有する。第１の柱体２５２ｂは、第２の柱体２５２ｃの相対位置に配置される。第１の柱体２５２ｂと第２の柱体２５２ｃはいずれも底部２５２ａから突出しており、底部２５２ａは固定ベース２２０に接続されている。第１の柱体２５２ｂの頂端２５２ｄは、ボルト２７０が挿入されるためのネジ孔２５２ｅを有する。また、図２Ｂにおいて、第１の柱体２５２ｂと第２の柱体２５２ｃとの間には１本の柱体が存在しているが、他の実施例において、第１の柱体２５２ｂと第２の柱体２５２ｃとの間には柱体が一切存在しないようにしてもよい。
【００２１】
回動ブロック２５４は、この一対の柱体２５２ｂ、２５２ｃの上方に設けられ、且つ第２の柱体２５２ｃに枢動可能に連結される。例えば、回動ブロック２５４は、ヒンジによって第２の柱体２５２ｃに枢動可能に連結される。これにより、回動ブロック２５４は、回動軸心２５４ｃに沿って第２の柱体２５２ｃに対して回動することができる。また回動軸心２５４ｃの延在方向は、挿入ロッド２３０の軸方向と同じでもよく、即ち、回動軸心２５４ｃと挿入ロッド２３０とは平行でもよい。また、回動ブロック２５４は、ネジ孔２５２ｅに対応する貫通孔２５４ａを有する。回動ブロック２５４と第２の柱体２５２ｃとの間の回動によって貫通孔２５４ａがネジ孔２５２ｅの位置に合わせられることで、ボルト２７０は回動ブロック２５４を貫通するとともにネジ孔２５２ｅに螺合させることができる。これにより、挿入ロッド２３０の一端が回動ブロック２５４と固定ベース２２０との間に制限されるようにすることができる。
【００２２】
また、これらの挿入ロッド２３０は、Ｌ形ロッドであり、湾曲部２３０ｃと湾曲部２３０ｃに接続される延在部２３０ｂを有してもよい（図２Ｂを参照）。ここで、挿入ロッド２３０の湾曲部２３０ｃと湾曲部２３０ｃの延在部２３０ｂとの長さの総和は、背部２４のスナップリングの孔径のサイズより小さくなければならない。例えば、背部２４は螺旋式コイルであってもよいが、湾曲部２３０ｃと延在部２３０ｂとの長さの総和は、螺旋式コイルの孔径より小さくなければならない。又は、背部２４は複数の円形リングを有してもよいが、湾曲部２３０ｃと延在部２３０ｂとの長さの総和は、各円形リングの孔径より小さくなければならない。これにより、挿入ロッド２３０が背部２４を貫通しやすくなり、書類用バインダー２００が冊子２０と結合することができるようになる（図１Ｂを参照）。
【００２３】
湾曲部２３０ｃが回動ブロック２５４と背表紙面１１４ａとの間に位置する時、延在部２３０ｂが湾曲部２３０ｃから背表紙面１１４ａに向かって延在される。また、これらの挿入ロッド２３０の一端はフックリング２３０ａであってもよく（図２Ａを参照）、且つフックリング２３０ａは第２の固定部材２６０に結合される。
【００２４】
具体的に言えば、第２の固定部材２６０は、支持ロッド２６０ａ、第３の柱体２６０ｂ及び第４の柱体２６０ｃを備える。そのうち、第３の柱体２６０ｂと第４の柱体２６０ｃはいずれも固定ベース２２０から突出する。また、支持ロッド２６０ａはフックリング２３０ａと結合し、例えば、フックリング２３０ａは支持ロッド２６０ａに係合するとともに、第３の柱体２６０ｂと第４の柱体２６０ｃとの間に位置する。また第３の柱体２６０ｂと第４の柱体２６０ｃはいずれも支持ロッド２６０ａと固定ベース２２０との間に位置する。
【００２５】
また、挿入ロッド２３０は支持ロッド２６０ａに枢動可能に連結される。ここで、挿入ロッド２３０は、支持ロッド２６０ａに対して回動することができる。また回動軸心２５４ｃの延在方向は、挿入ロッド２３０と平行である。これにより、挿入ロッド２３０の一端が回動ブロック２５４と固定ベース２２０との間に制限されていない時、使用者は挿入ロッド２３０を引っ張り上げ、挿入ロッド２３０を支持ロッド２６０ａに対して回動させることで、挿入ロッド２３０を冊子２０の背部２４に貫通させることができ、書類用バインダー２００が冊子２０と結合できるようにすることができる。
【００２６】
図３は、本発明の他の実施例に係る書類用バインダー３００を模式的に示した立体図である。図３に示すように、本実施例における書類用バインダー３００は、前述した実施例における書類用バインダー２００と構造が類似している。例えば、書類用バインダー３００も、第２の固定部材２６０、２本の挿入ロッド２３０及びカバー１１０を備える。但し、書類用バインダー２００、３００の両者では、第１の固定部材２５０、３５０に相違がある。以下、その相違点を述べる。
【００２７】
書類用バインダー３００の第１の固定部材３５０は、凹溝３５０ａ及び挿入ボルト３７０を備える。凹溝３５０ａは、溝底部３５０ｂと一対の互いに対向する柱体３５０ｃ、３５０ｄを有する。これらの柱体３５０ｃ、３５０ｄは、溝底部３５０ｂから突出している。また、図３において、柱体３５０ｃと柱体３５０ｄとの間には１本の柱体が存在しているが、他の実施例において、柱体３５０ｃと柱体３５０ｄとの間には柱体が一切存在しないようにしてもよい。
【００２８】
挿入ボルト３７０は、これらの柱体３５０ｃ、３５０ｄを貫通することで、挿入ロッド２３０が溝底部３５０ｂと挿入ボルト３７０との間に位置するようにするのに用いられる。これにより、挿入ロッド２３０が第１の固定部材３５０と第２の固定部材２６０に固定される。
【００２９】
注意すべきことは、以上の実施例に開示した書類用バインダー２００と書類用バインダー３００は双方ともそれぞれ２本の挿入ロッド２３０を備えるが、他の実施例において、書類用バインダー２００と書類用バインダー３００はそれぞれ１本、３本又は３本以上の挿入ロッド２３０を備えてもよいことである。また、書類用バインダー１００も２本又は２本以上の挿入ロッド１３０を備えてもよい。従って、以上の図面で説明した書類用バインダー１００、２００、３００における、挿入ロッド１３０、２３０の数量は、例示的に説明する便宜上記載したものに過ぎず、本発明を制限するものではない。
【００３０】
図４は、本発明の他の実施例に係る書類用バインダー４００を模式的に示した図である。図４に示すように、本実施例における書類用バインダー４００は、前述した実施例における書類用バインダー３００と構造がほぼ同じである。例えば、書類用バインダー４００も、カバー１１０、固定ベース２２０、挿入ロッド４３０及び第２の固定部材４６０を備える。挿入ロッド４３０も冊子２０の背部２４を貫通することができ、これにより書類用バインダー４００を冊子２０と結合できるようにすることができる。但し、書類用バインダー４００と先述した実施例とでは第２の固定部材２６０、４６０に相違点がいくつか存在する。以下、その相違点を述べる。
【００３１】
書類用バインダー４００の第２の固定部材４６０は、ヒンジ軸４６０ａを備える。ヒンジ軸４６０ａは挿入ロッド４３０の端部と第２の固定部材４６０を貫通し、これによってヒンジ軸４６０ａは挿入ロッド４３０の端部と第２の固定部材４６０を連結するとともに、固定ベース２２０の上方に設けることができる。また、ヒンジ軸４６０ａによって、挿入ロッド４３０も第２の固定部材４６０と枢動可能に連結される。これにより、ヒンジ軸４６０ａを回転軸として、挿入ロッド４３０が第２の固定部材４６０に対して回動できるようにすることができる。
【００３２】
図５は、本発明の他の実施例に係る書類用バインダー５００を模式的に示した立体図である。図５に示すように、本実施例における書類用バインダー５００は、前述した実施例における書類用バインダー４００と構造がほぼ同じである。例えば、書類用バインダー５００も、カバー１１０、固定ベース２２０、挿入ロッド５３０、第１の固定部材５５０及び第２の固定部材５６０を備える。但し、書類用バインダー５００と先述した実施例とでは相違点がいくつか存在する。以下、その相違点を述べる。
【００３３】
書類用バインダー５００の第１の固定部材５５０は、第１の柱体５５０ａ、第２の柱体５５０ｂ及び回転アームロッド５５０ｃを備える。第１の柱体５５０ａは、第２の柱体５５０ｂの相対位置に配置され、回転アームロッド５５０ｃは、この一対の柱体５５０ａ、５５０ｂの上方に設けられる。回転アームロッド５５０ｃの一端は第１の柱体５５０ａに枢動可能に連結される。従って、回転アームロッド５５０ｃは、第１の柱体５５０ａに対して回動することができる。また、回転アームロッド５５０ｃの他端は第２の柱体５５０ｂに固定することができる。これにより、挿入ロッド５３０の一端が回転アームロッド５５０ｃと固定ベース２２０との間に制限されるようにすることができる。
【００３４】
また、書類用バインダー５００は、数本の挿入ロッド５３０を備える。挿入ロッド５３０は弾性のある制限的に湾曲できる直条である。これらの挿入ロッド５３０は、頂部５３０ａを有し、その形状は例えば球状であってもよい（図５を参照）。ここで、頂部５３０ａの大きさは、挿入ロッド５３０の他の部位よりも大きく、且つ頂部５３０ａの幅は、回転アームロッド５５０ｃが第２の柱体５５０ｂに固定された場合の固定ベース２２０との間の距離よりも大きい。これにより、挿入ロッド５３０を第１の固定部材５５０に固定しやすくなる。また、先述した実施例とは異なり、これらの挿入ロッド５３０における頂部５３０ａに対向する端部は第２の固定部材５６０にしっかりと結合されるとともに、固定ベース２２０の上方に設けられる。
【００３５】
図６は、本発明の他の実施例に係る書類用バインダー６００を模式的に示した立体図である。図６に示すように、本実施例における書類用バインダー６００は、前述した実施例における書類用バインダー５００と構造がほぼ同じである。例えば、書類用バインダー６００も、カバー１１０、固定ベース２２０及び第２の固定部材６６０を備える。但し、書類用バインダー６００と書類用バインダー５００とでは相違点が存在する。以下、その相違点を述べる。
【００３６】
書類用バインダー６００は、数本の挿入ロッド６３０を備える。本実施例における挿入ロッド６３０の材質は、前述した実施例における挿入ロッド５３０とは異なってもよく、例えば本実施例における挿入ロッド６３０は、剛性のロッド材であってもよく、金属ロッドであってもよい。また、挿入ロッド６３０の端部は第２の固定部材６６０にしっかりと結合されるとともに、固定ベース２２０の上方に設けられる。ここで、挿入ロッド６３０の端部は、螺合によって第２の固定部材６６０に固定されてもよい。
【００３７】
詳しく述べると、第２の固定部材６６０は、これらの挿入ロッド６３０に対応する複数のネジ孔を有する。そして各挿入ロッド６３０の端部は雄ネジを有し、各ネジ孔は雄ネジと組み合わせられる雌ネジを有する。このように、上述した雄ネジと雌ネジとの組み合わせにより、各挿入ロッド６３０の端部が各第２の固定部材６６０のネジ孔内に螺着され、これにより挿入ロッド６３０の端部が第２の固定部材６６０にしっかりと結合される。
【００３８】
第１の固定部材６５０は、挿入ロッド６３０が挿入されるための複数の孔６５０ａを有してもよい。挿入ロッド６３０はそれぞれこれらの孔６５０ａ内で摺動することができる。また、第１の固定部材６５０は固定ベース２２０の上方に固定されてもよく、これにより挿入ロッド６３０が第１の固定部材６５０に固定される。
【００３９】
このように、第１の固定部材と第２の固定部材との間に固定される少なくとも１本の挿入ロッドによって冊子の背部が貫通されることを利用して、本発明の実施例が提供する書類用バインダーは、冊子を結合することができ、これにより冊子の表紙を保護するとともに、ルーズリーフ部材が汚れたり傷ついたりすることを回避することができる。
【００４０】
上記は本発明の実施例の説明及び図面に過ぎず、本発明の範囲を限定するものではなく、本発明のすべての範囲は特許請求の範囲に準じる。本技芸に習熟する者は、本発明の範囲内において、種々の修正又は変更を施すことができ、そうした修正や変更は依然としてすべて本発明の範囲に含まれる。
【符号の説明】
【００４１】
２０                                            冊子
２２                                            ルーズリーフ
２２ａ                                          ルーズリーフ部材
２２ｂ                                          孔
２４                                            背部
１００、２００、３００、４００、５００、６００  書類用バインダー
１１０                                          カバー
１１２ａ                                        表紙
１１２ｂ                                        裏表紙
１１４                                          裏板
１１４ａ                                        背表紙面
１１４ｂ、１１４ｃ                              線縁部
１２０、２２０                                  固定ベース
１２０ａ、２２０ａ                              頂面
１２０ｂ                                        底面
１３０、２３０、４３０、５３０、６３０          挿入ロッド
１３２                                          停止部
１５０、２５０、３５０、５５０、６５０          第１の固定部材
１５０ａ                                        第１のヒンジ孔
１６０、２６０、４６０、５６０、６６０          第２の固定部材
１６０ａ                                        第２のヒンジ孔
１７０                                          キャップ
２３０ａ                                        フックリング
２３０ｂ                                        延在部
２３０ｃ                                        湾曲部
２５２                                          溝座
２５２ａ                                        底部
２５２ｂ、５５０ａ                              第１の柱体
２５２ｃ、５５０ｂ                              第２の柱体
２５２ｄ                                        頂端
２５２ｅ                                        ネジ孔
２５４                                          回動ブロック
２５４ａ                                        貫通孔
２５４ｃ                                        回動軸心
２６０ａ                                        支持ロッド
２６０ｂ                                        第３の柱体
２６０ｃ                                        第４の柱体
２７０                                          ボルト
３５０ａ                                        凹溝
３５０ｂ                                        溝底部
３５０ｃ、３５０ｄ                              柱体
３７０                                          挿入ボルト
４６０ａ                                        ヒンジ軸
５３０ａ                                        頂部
５５０ｃ                                        回転アームロッド
６５０ａ                                        孔
【図１Ａ】
2014008780.tif 000003
【図１Ｂ】
2014008780.tif 000004
【図２Ａ】
2014008780.tif 000005
【図２Ｂ】
2014008780.tif 000006
【図３】
2014008780.tif 000007
【図４】
2014008780.tif 000008
【図５】
2014008780.tif 000009
【図６】
2014008780.tif 000010